(57)【要約】【課題】地上デジタル放送のように各放送局が自局の放送局のみの番組情報を送出する送出形態では、選局していないサービスについて番組情報を得ることができない。このため、番組予約や番組の検索機能が利用できなくなることがある。【解決手段】ユーザが予め視聴しない番組に関連するキーワードを登録しておく。番組情報管理部で取得が完了していないサービスを検出し、さらに前記キーワードに該当する番組やCMを視聴している場合、取得が完了していないサービスを選局し、検出した番組やCMが終了するまで番組情報を取得する。【選択図】図１
2006295451.tif 000002
【特許請求の範囲】
【請求項１】
デジタル放送信号を受信する受信手段と、放送信号に含まれるＭＰＥＧ２(Ｍｏｖｉｎｇ  Ｐｉｃｔｕｒｅ  Ｅｘｐｅｒｔｓ  Ｇｒｏｕｐ２)の映像、音声、データストリームと番組情報を分離する手段と、前記映像、音声、データストリームをデコードし、映像、音声、データ信号に変換するデジタル放送信号処理手段と、番組情報を取得する手段と、前記番組情報取得手段により取得した番組情報を蓄積する手段と、前記番組情報を映像信号に変換するＯＳＤ処理手段と、前記映像、音声、データ信号に前記映像信号に変換した番組情報を多重して一覧表示あるいはどちらか一方の信号を表示する出力処理手段を備えている番組情報取得装置において、ユーザが視聴及び予約をしない番組に関連するキーワードを予め設定登録するキーワード登録手段と、前記キーワードに一致する番組の検出及び、取得番組情報と予め設定される伝送範囲（日数単位）を照合し、番組情報未取得サービス及び日付を管理する番組情報管理手段と、映像、音声信号から宣伝（ＣＭ）を検出するＣＭ検出手段と、前記ユーザが視聴及び予約しない番組、あるいは前記検出したＣＭから、開始終了時刻及び選局チャンネルを管理する、番組及びＣＭ属性管理手段と、前記番組及びＣＭ属性管理手段から得られる選局チャンネル情報に基づきチューナ制御する選局管理手段を備えていることを特徴とする番組情報取得装置。
【請求項２】
請求項１に記載の番組情報取得装置において、前記キーワード登録手段がキーワード登録画面と、番組の放送時間長さを登録する画面を有し、ユーザが視聴及び予約をしない番組に関連するキーワードの登録と番組の放送時間長さを登録することができることを特徴とする番組情報取得装置。
【請求項３】
請求項１に記載の番組情報取得装置において、前記番組情報管理手段が予め設定される伝送範囲を受信サービス毎に保持し、現在の取得状況を算出し、取得が完了していないサービスを選局、あるいは番組一覧表示した場合に取得が完了していない旨のメッセージとサービス名及び未取得である番組の日付を表示する画面を有することを特徴とする番組情報取得装置。
【請求項４】
請求項１に記載の番組情報取得装置において、前記番組情報管理手段が前記キーワード登録手段で登録したユーザが視聴及び予約しない番組、あるいはＣＭを視聴していることを検出した際に、未だ番組情報の取得が不十分なサービスを選局することをユーザに選択及び確認する画面を有することを特徴とする番組情報取得装置。
【請求項５】
請求項１に記載の番組情報取得装置において、前記番組情報管理手段が予め設定される伝送範囲を受信サービス毎に保持し、現在の取得状況を算出し、すべてのサービスにおいて番組情報の取得が完了した場合に取得が完了した旨のメッセージを表示する画面を有することを特徴とする番組情報取得装置。
【発明の詳細な説明】
【技術分野】
【０００１】
本発明は、デジタル放送信号に付属する番組情報を取得する装置において、ユーザが視聴及び予約しない番組放送時間、あるいはＣＭ放送時間を自動で検出し、番組情報が完全に取得できていないサービスを自動で選局し、番組情報を取得することで、通常より早くすべてのサービスの番組情報取得を提供するシステムに関するものである。
【背景技術】
【０００２】
従来、デジタル放送には映像、音声、データストリームの他に番組情報であるＥＩＴ（Ｅｖｅｎｔ  Ｉｎｆｏｒｍａｔｉｏｎ  Ｔａｂｌｅ）などを送出しており、番組情報取得装置では、取得した番組情報からユーザが視聴あるいは録画を希望する番組を簡単にすばやく発見する手段として、電子番組ガイド（ＥＰＧ：Ｅｌｅｃｔｒｏｎｉｃ  Ｐｒｏｇｒａｍ  Ｇｕｉｄｅ）を構成している。ＢＳデジタル放送、ＣＳデジタル放送などの非地上デジタル放送では、１つの放送局（チャンネル）から配信される番組情報には、そのチャンネルのみならず、非地上波デジタル放送を行っているすべてのチャンネルが提供する番組情報も含まれている。従って任意のチャンネルを選局、視聴している間に、すべてのチャンネルの番組情報を得ることができる。
しかし、地上波デジタル放送では、１つのチャンネルはそのチャンネルのみの番組情報を提供しており、全てのチャンネルから配信されている番組情報を受信するには全ての受信チャンネルをユーザが選局、視聴しなくてはならない。そこでユーザが選択又は設定した起動時刻に自動でチャンネルサーチ動作を行うことで番組情報を受信する方法が提案されている（特開２００４−１１２６３２）
【特許文献１】特開２００４−１１２６３２号公報
【発明の開示】
【発明が解決しようとする課題】
【０００３】
しかし、上記２００４−１１２６３２号公報に示された装置では、取得時刻を指定するため、番組の延長や中止、変更が発生したときに追従することができず、ユーザが視聴している時間に全チャンネルで番組情報を取得しようとする可能性がある。またユーザが視聴しない時間に全チャンネルの番組情報を確実に取得するには、少なくとも放送局毎、日毎に取得時間を設定しなくてはならず、設定が煩わしい。
【０００４】
本発明は、ユーザの番組視聴および予約傾向に着目し、予めユーザが設定した視聴及び予約しない番組に関連するキーワードや番組の放送時間長を設定し、前記ユーザが設定したキーワードや番組の放送時間長に該当する番組の放送が開始された場合、あるいはＣＭ放送が開始した場合、番組情報が未取得であるサービスを自動で選局し、番組情報を取得する、番組の延長や中止、変更にも堅牢でかつユーザの設定作業の煩わしさを軽減した番組情報取得装置を提供することを目的とする。
【課題を解決するための手段】
【０００５】
上記目的を達成するために請求項１の発明は、デジタル放送信号を受信する受信手段と、放送信号に含まれるＭＰＥＧ２の映像、音声、データストリームと番組情報を分離する手段と、前記映像、音声、データストリームをデコードし、映像、音声、データ信号に変換するデジタル放送信号処理手段と、番組情報を取得する手段と、前記番組情報取得手段により取得した番組情報を蓄積する手段と、前記番組情報を映像信号に変換するＯＳＤ処理手段と、前記映像、音声、データ信号に前記映像信号に変換した番組情報を多重して一覧表示あるいはどちらか一方の信号を表示する出力処理手段を備えている番組情報取得装置において、ユーザが視聴及び予約をしない番組に関連するキーワードを予め設定登録するキーワード登録手段と、前記キーワードに一致する番組の検出及び、取得番組情報と予め設定される伝送範囲を照合し、番組情報未取得サービス及び日付を管理する番組情報管理手段と、映像、音声信号からＣＭを検出するＣＭ検出手段と、前記ユーザが視聴及び予約しない番組、あるいは前記検出したＣＭから、開始終了時刻及び選局チャンネルを管理する、番組及びＣＭ属性管理手段と、前記番組及びＣＭ属性管理手段から得られる選局チャンネル情報に基づきチューナ制御する選局管理手段を備えていることを特徴とするものである。
【０００６】
また請求項２の発明は、請求項１に記載の番組情報取得装置において、前記キーワード登録手段がキーワード登録画面と、番組の放送時間長さを登録する画面を有し、ユーザが視聴及び予約をしない番組に関連するキーワードの登録と番組の放送時間長さを登録することができることを特徴とするものである。
【０００７】
また請求項３の発明は、請求項１に記載の番組情報取得装置において、前記番組情報管理手段が予め設定される伝送範囲を受信サービス毎に保持し、現在の取得状況を算出し、取得が完了していないサービスを選局、あるいは番組一覧表示した場合に取得が完了していない旨のメッセージとサービス名及び未取得である番組の日付を表示する画面を有することを特徴とするものである。
【０００８】
また請求項４の発明は、請求項１に記載の番組情報取得装置において、前記番組情報管理手段が前記キーワード登録手段において登録したユーザが視聴及び予約しない番組、あるいはＣＭを視聴していることを検出した際に、未だ番組情報の取得が不十分なサービスを選局することをユーザに選択及び確認する画面を有することを特徴とするものである。
【０００９】
また請求項５の発明は、請求項１に記載の番組情報取得装置において、前記番組情報管理手段が予め設定される伝送範囲を受信サービス毎に保持し、現在の取得状況を算出し、すべてのサービスにおいて番組情報の取得が完了した場合に取得が完了した旨のメッセージを表示する画面を有することを特徴とするものである。
【発明の効果】
【００１０】
本発明の番組情報取得装置によれば、ユーザが視聴及び予約をしない番組あるいはＣＭを自動で検出し、全サービスの番組情報を取得することが可能である。また番組の延長や中止、変更に追従して番組情報取得時間を自動で変更することが可能である。さらに、ユーザは視聴及び予約をしない番組に関するキーワードや番組の放送時間長を入力するだけでよく、設定の変更頻度が小さくて済む。
【発明を実施するための最良の形態】
【００１１】
以下に、本発明の実施の形態について図面を参照して説明する。
【００１２】
（実施の形態１）
まず、本発明の実施形態による番組情報受信装置のブロック図を示す。
【００１３】
番組情報取得装置１は、放送局から送られてくるデジタル放送電波を受信するためのアンテナ２と、映像、音声、データ信号及びＥＰＧを含むＯＳＤを映し出すためのモニタ１１に接続される。
【００１４】
番組情報取得装置１はチューナ（受信手段）３、ＤＥＭＵＸ４、デジタル放送信号処理部５、番組情報取得部６、番組情報管理部８、ＯＳＤ処理部９、出力処理部１０、リモコン受光部１３、キーワード登録部１４、ＣＭ検出部１５、番組及びＣＭ属性管理部１６、選局管理部１７から構成されている。また番組情報取得装置１は取得した番組を蓄積する媒体として例えばフラッシュメモリのような番組情報蓄積７を有する。
【００１５】
ＤＥＭＵＸ４は映像、音声、データストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。番組情報はＳＩのＥＩＴに含まれている。
【００１６】
デジタル放送信号処理部５は前記ＤＥＭＵＸ４により分離した映像、音声、データストリームをデコード及びＤ／Ａ変換することで映像、音声、データ信号に変換しモニタ１１に出力される形式にする。
【００１７】
番組情報取得部６は前記ＤＥＭＵＸ４により分離したＰＳＩ／ＳＩにおいて番組情報であるＥＩＴを検出し取得する。取得したＥＩＴは番組情報蓄積７に蓄積される。
【００１８】
リモコン１２は、ユーザが選局、ＥＰＧ操作、キーワード登録等の指令を送るためのものである。リモコンに取り付けられたボタンを押下することにより、赤外線信号等の無線信号を送出する。
【００１９】
リモコン受信部１３はリモコン１２から送出されるコードを受信し、キーワード登録部１４や番組情報管理部８へ出力する。
【００２０】
キーワード登録部１４はユーザが視聴及び予約をしない番組に関係するキーとなる文字列を記憶、さらに番組放送時間長を記憶する。キーワードは複数登録が可能であり、各キーワード間は論理演算（ＡＮＤ、ＯＲ）による関係付けが可能である。
【００２１】
番組情報管理部８は前記番組情報蓄積７に蓄積した番組情報のうち、前記キーワード登録部１４でユーザが登録したキーワード及び番組放送時間長に一致する番組を検出する。また、前記番組情報蓄積７に蓄積した番組情報と予め設定された伝送範囲、例えばＢＩＴ（Ｂｒｏａｄｃａｓｔ  Ｉｎｆｏｒｍａｔｉｏｎ  Ｔａｂｌｅ）と照合して、取得が完了していない受信サービス及び日付を検出し管理する。さらに視聴中の番組が前記キーワード登録部１４で登録したキーに一致する番組が開始された場合、番組開始終了時間、番組情報が未取得のサービス（チャンネル）を番組及びＣＭ属性管理部１６に通知する。
【００２２】
ＣＭ検出部１５は前記デジタル信号処理部５により処理／変換された映像、音声、データ信号からＣＭ開始時刻を検出する。ＣＭ検出は既存の提案されている技術を利用して実施可能であるため、詳細な説明は割愛する。またＣＭ検出は視聴番組が終了した後のＣＭを対象とする。ＣＭ終了時刻は次番組開始時間とし、番組情報から検出する。ＣＭの開始終了時刻は前記番組及びＣＭ属性管理部１６に通知される。同時に前記番組情報管理部８から番組情報が未取得のサービスも前記番組及びＣＭ属性管理部１６に通知される。
【００２３】
番組及びＣＭ属性管理部は前記番組情報管理部８及びＣＭ検出部１６により通知された、番組及びＣＭの開始終了時間、番組情報が未取得のサービスを入力とし、番組及びＣＭの開始時間に選局管理部１７に番組情報が未取得のサービスを通知する。また、終了時間に通知前に選局していたサービスを前記選局管理部１７に通知する。
【００２４】
選局管理部１７は、前記番組及びＣＭ属性管理部１６により通知されたサービスを前記チューナ３に伝え選局指示を行う。
【００２５】
図２は本装置における、キーワード登録表示図を示す。キーワード表示及び登録はキーワード登録部１４で行う。２０１はユーザが視聴及び予約しない番組に関係するキーとなる文字列を表示しており、“天気”及び“ニュース”がキーとして登録されている状態である。また２０２によって登録したキーワード間を論理演算（ＡＮＤ、ＯＲ）で関係付けることができる。図２では“天気”かつ“ニュース”がキーワードとして登録されている状態である。さらに２０３が示すようにスクロール表示機能を持ち、多数のキーワードを登録することが可能である。また２０４では視聴及び予約しない番組放送時間長の範囲を表示しており、“０分〜１０分”と登録されている状態である。２０５ではキーワードと番組放送時間長の関係を設定することができる。
【００２６】
図３は本装置における、番組情報取得状況表示、番組情報取得可否表示及び番組情報取得完了表示図を示す。これらの表示は番組情報管理部８によって制御、表示構成が行われる。図３（ａ）の３０１は時間及びサービス名を軸とする番組表を表している。３０２はＰＩＮＰ画面である。番組表３０１は３０３に示す日付タグを持ち、ユーザのリモコン操作により、日付毎に番組表を表示することができる。３０４は番組情報管理部８が番組情報未取得であるサービスを検出した場合、未取得サービス名、日付を表示する。これにより、ユーザが番組表を参照時に番組情報が全て揃っていないことを警告することができる。図３（ｂ）の３０５は選局中の番組がユーザの視聴及び予約をしない番組に一致している場合表示される。ユーザに番組情報未取得であるサービス名、日付を表示し、番組情報自動取得処理に入ってよいか選択を促す。３０６の“はい”が選択された場合は番組情報自動取得処理を開始する。３０７の“いいえ”が選択された場合、処理は行わず、次にユーザが視聴及び予約をしない番組が開始されるまで表示されない。図（ｃ）の３０７は３０５の番組情報取得可否表示において３０６の“はい”が選択され、番組情報未取得サービスの取得が完了した場合表示される。
【００２７】
ユーザが視聴及び予約しない番組に関連するキーワード登録後から番組情報取得までの処理を図４を用いて説明する。選局中の番組情報を取得し（Ｓ１）、ユーザが登録したキーワードあるいはＣＭが放送されているか判定する（Ｓ２）、ユーザが視聴及び予約しない番組である場合（Ｓ２のＹＥＳ）、番組情報未取得サービスがあるかどうかの判定（Ｓ３）を行い、未取得サービスがある場合（Ｓ３のＹＥＳ）、番組あるいはＣＭの開始終了時間、番組情報未取得のサービスを番組情報管理部８から取得し（Ｓ４）、番組及びＣＭ属性管理部１６に通知後、番組情報未取得サービス選局、番組情報の取得を行う（Ｓ５）。番組情報が全ての受信サービスで取得できた場合（Ｓ３のＮＯ）、選局サービスを番組情報取得前のチャンネルに戻す。また番組情報取得中に番組あるいはＣＭが終了時刻に達したか判定を行う（Ｓ８）。１秒毎に判定を行い（Ｓ９）、終了時刻の場合（Ｓ８のＹＥＳ）、番組情報取得前のチャンネルかどうかの判定を行い（Ｓ１０）、取得前のチャンネルに戻して終了する。
【産業上の利用可能性】
【００２８】
本発明の番組情報取得装置によれば、ユーザが視聴及び予約をしない番組あるいはＣＭを自動で検出し、全サービスの番組情報を取得することが可能である。また番組の延長や中止、変更に追従して番組情報取得時間を自動で変更することが可能である。さらに、ユーザは視聴及び予約をしない番組に関するキーワードや番組の放送時間長を入力するだけでよく操作が簡単でありかつ、設定の変更頻度が小さくなるという効果を得ることができる。以上により、本発明の番組情報取得装置は、ユーザの視聴を妨げることなく全てのサービスで番組情報を自動で取得するシステムとして有用である。
【図面の簡単な説明】
【００２９】
【図１】本発明の一実施形態による番組情報取得装置のブロック構成を示す図
【図２】同装置によって表示したキーワード登録表示を示す図
【図３】（ａ）同装置によって表示した番組情報取得状況表示を示す図（ｂ）同装置によって表示した番組情報取得可否表示を示す図（ｃ）同装置によって表示した番組情報取得完了表示を示す図
【図４】ユーザが視聴及び予約しない番組に関連するキーワード登録後から番組情報取得までの処理を示す図
【符号の説明】
【００３０】
１    番組情報取得装置
２    アンテナ
３    チューナ（受信手段）
４    ＤＥＭＵＸ
５    デジタル放送信号処理部（デジタル放送信号処理手段）
６    番組情報取得部（番組情報取得手段）
７    番組情報蓄積（番組情報蓄積手段）
８    番組情報管理部（番組情報管理手段）
９    ＯＳＤ処理部（ＯＳＤ処理手段）
１０    出力処理部（出力処理手段）
１１    モニタ
１２    リモコン
１３    リモコン受光部（リモコン受光手段）
１４    キーワード登録部（キーワード登録手段）
１５    ＣＭ検出部（ＣＭ検出手段）
１６    番組及びＣＭ属性管理部（番組及びＣＭ属性管理手段）
１７    選局管理部（選局管理手段）
２０１    キーワード登録セル
２０２    ＡＮＤ、ＯＲ選択セル
２０３    スクロール表示
２０４    番組放送時間設定セル
３０１    番組表
３０２    ＰＩＮＰ
３０３    日付タグ表示
３０４    番組情報取得状況表示
３０５    番組情報取得可否表示
３０６    “はい”表示
３０７    “いいえ”表示
３０８    番組情報取得完了表示
【図１】
2006295451.tif 000003
【図２】
2006295451.tif 000004
【図３】
2006295451.tif 000005
【図４】
2006295451.tif 000006